(57)【特許請求の範囲】
【請求項１】
ガイドレールに取り囲まれた遊技領域内に、遊技球が入球可能な開状態と入球不可能な閉状態とに切り替え可能であって前記閉状態ではその前側を遊技球が通過可能な第１入球口と、その下流側の第２入球口とを配置し、
前記第１入球口，第２入球口への遊技球の入球に基づいて遊技価値が付与されるように構成した
弾球遊技機において、
前記遊技領域内における前記第１入球口の下側に、前記第１入球口に入球しなかった遊技球を前記第２入球口の入球経路に誘導する傾斜面よりなる遊技球誘導手段を配置し、
前記遊技球誘導手段の前記第２入球口側の端部とその下側の前記ガイドレールとの間に、前記遊技球誘導手段の下側への遊技球の侵入を阻止する側壁部を前記遊技球誘導手段と一体に設け、
前記第２入球口とその側方の前記側壁部との間を遊技球が通過可能とした
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機の多くは、遊技領域の略中央に、液晶表示手段等の画像表示手段の表示枠としての中央表示ユニットが装着されており、遊技領域の上部側に打ち込まれた遊技球はその中央表示ユニットの左右の流下経路の何れかを流下するようになっている。
【０００３】
また、この種の弾球遊技機では、一つの流下経路上に例えば開閉式の入賞口（入球口）が複数配置されており、上流側の第１入賞口への入賞を逃した遊技球は更にその下流側の第２入賞口への入賞機会を得ることができるようになっている。例えば特許文献１に記載の弾球遊技機では、右流下経路上に二つの開閉式入賞口が配置され、上流側の第１入賞口は、左右方向に傾斜した開閉部材を備え且つその開閉部材を遊技盤の前側に突出させる閉状態と突出させない開状態とに切り替え可能に構成されており、閉状態のときにはその上側に落下してきた遊技球を開閉部材によって下流側の第２入賞口側に誘導するようになっている。
【先行技術文献】
【特許文献】
【０００４】
【特許文献１】特開２０１０−２０７２６５号公報
【発明の概要】
【発明が解決しようとする課題】
【０００５】
特許文献１に記載の弾球遊技機では、遊技釘等によって第１入賞口上に案内された遊技球については、第１入賞口が開状態であればその第１入賞口に入賞し、閉状態であれば開閉部材に案内されて第２入賞口への入賞機会が与えられるが、第１入賞口上ではなくその右側に案内された遊技球については、そのまま遊技領域の下部側に落下し、第２入賞口への入賞機会は与えられないようになっている。
【０００６】
即ち、特許文献１に記載の弾球遊技機では、下流側の第２入賞口の入賞率が、上流側の第１入賞口の入賞率に依存してしまうという問題があった。
【０００７】
本発明は上記事情に鑑みてなされたものであり、下流側の入球口への入球率がその上流側の入球口の入球率に依存せず、各入球口の入球率をそれぞれ独立に調整することが可能な弾球遊技機を提供することを目的とする。
【課題を解決するための手段】
【０００８】
本発明は、ガイドレール１１に取り囲まれた遊技領域７内に、遊技球が入球可能な開状態と入球不可能な閉状態とに切り替え可能であって前記閉状態ではその前側を遊技球が通過可能な第１入球口２４ａと、その下流側の第２入球口２３ａとを配置し、前記第１入球口２４ａ，第２入球口２３ａへの遊技球の入球に基づいて遊技価値が付与されるように構成した弾球遊技機において、前記遊技領域７内における前記第１入球口２４ａの下側に、前記第１入球口２４ａに入球しなかった遊技球を前記第２入球口２３ａの入球経路に誘導する傾斜面よりなる遊技球誘導手段７５ｂを配置し、前記遊技球誘導手段７５ｂの前記第２入球口２３ａ側の端部とその下側の前記ガードレール１１との間に、前記遊技球誘導手段７５ｂの下側への遊技球の侵入を阻止する側壁部７５ｄを前記遊技球誘導手段７５ｂと一体に設け、前記第２入球口２３ａとその側方の前記側壁部７５ｄとの間を遊技球が通過可能としたものである。
【０００９】
また、前記第２入球口２４ａ，２３ａは、前記第１入球口２２ａ，２４ａに対して左右方向の所定側にずれた位置に配置されており、前記第１入球口２２ａ，２４ａに対して左右方向の非所定側を流下した全ての遊技球が前記遊技球誘導手段７５ａ，７５ｂ上に案内されるように構成してもよい。
【００１０】
また、前記遊技球誘導手段７５ａ，７５ｂは、前記第１入球口２２ａ，２４ａの下側に配置され且つその左右方向の前記所定側の端部が前記第２入球口２４ａ，２３ａの上部又はその近傍に達するように配置されていることが望ましい。
【００１１】
前記遊技球誘導手段７５ａ，７５ｂは、金属製又は樹脂製の傾斜面で構成することが望ましく、また遊技盤４に着脱可能な一つのユニット部品１４上に、前記第１，第２入球口２２ａ，２３ａ，２４ａと前記遊技球誘導手段７５ａ，７５ｂとを配置することが望ましい。
【発明の効果】
【００１２】
本発明によれば、下流側の第２入球口への入球率がその上流側の第１入球口の入球率に依存せず、各入球口の入球率をそれぞれ独立に調整することが可能となる。
【図面の簡単な説明】
【００１３】
【図１】本発明の一実施形態を示すパチンコ機における全体斜視図である。
【図２】同パチンコ機における遊技盤の正面図である。
【図３】同パチンコ機における遊技盤の要部拡大正面図である。
【図４】同パチンコ機における右入賞ユニットのＡ矢視断面図である。
【図５】同パチンコ機における右入賞ユニットのＢ矢視断面図である。
【図６】同パチンコ機における右入賞ユニットのＣ矢視断面図である。
【図７】同パチンコ機における制御系のブロック図である。
【図８】同パチンコ機における特別図柄毎の確変／時短遊技状態選択テーブルの一例を示す図である。
【図９】同パチンコ機における遊技状態毎の普通図柄の当たり確率及び変動時間、第２開閉式特別図柄始動口の開閉パターンの設定例を示す図である。
【図１０】同パチンコ機における右入賞ユニット上又はその近傍での遊技球の流下状態の一例を示す図である。
【発明を実施するための形態】
【００１４】
以下、本発明の実施形態を図面に基づいて詳述する。図１〜図１０は本発明をパチンコ機に採用した一実施形態を例示している。図１において、遊技機本体１は、矩形状の外枠２と、この外枠２に対して開閉及び着脱自在に枢着された内枠３とを備えている。
【００１５】
内枠３には、その上部側に遊技盤４（図２）等が、下部側に発射手段（図示省略）等が夫々配置されており、その内枠３の前側には、遊技盤４の前側を覆うガラス扉５と、そのガラス扉５の下側で発射手段等の前側を覆う下部開閉扉６とが開閉及び着脱自在に枢着されている。ガラス扉５には、遊技盤４の前面側に設けられた遊技領域７に対応するガラス窓８が設けられ、また下部開閉扉６には、払い出し手段（図示省略）から払い出された遊技球を貯留して発射手段に供給する貯留皿９、発射手段を作動させるために操作する発射ハンドル１０等が設けられている。
【００１６】
遊技盤４には、図２に示すように、発射手段によって発射された遊技球を案内するガイドレール１１が環状に装着され、そのガイドレール１１の内側の遊技領域７内に、中央表示ユニット１２、左入賞ユニット１３、右入賞ユニット１４等の複数のユニット部品と、多数の遊技釘７ａ（図３）とが配置されており、それら複数のユニット部品１２〜１４上に、画像表示手段１５、普通図柄表示手段１６、普通保留個数表示手段１７、第１特別図柄表示手段１８ａ、第２特別図柄表示手段１８ｂ等の各種表示手段の他、普通図柄始動手段１９、第１特別図柄始動手段２０、第２特別図柄始動手段２１、第２開閉式特別図柄始動手段２２、第１大入賞手段２３、第２大入賞手段２４、複数の普通入賞手段２５〜２８等が配置されている。
【００１７】
画像表示手段１５は、例えば液晶表示手段で、演出図柄表示手段２９、第１特別保留個数表示手段３０ａ、第２特別保留個数表示手段３０ｂ等を構成している。
【００１８】
中央表示ユニット１２は、画像表示手段１５の表示枠を構成するもので、遊技領域７の略中央から上部に跨がる領域に配置されており、例えば遊技盤４の裏側に固定される画像表示手段１５に対応して遊技盤４の前側に着脱自在に固定されている。中央表示ユニット１２は、遊技盤４の前面側に当接し且つ固定ねじ等により遊技盤４に固定される前面装着板３１と、画像表示手段１５等が配置される内部領域１２ａを略取り囲むように例えば前面装着板３１の前側に突設される囲繞枠３２とを例えば一体に備えており、発射手段により遊技領域７の上部側に打ち込まれた遊技球は、中央表示ユニット１２の上部側で囲繞枠３２により左右に振り分けられ、中央表示ユニット１２の左側の左流下経路３３ａと右側の右流下経路３３ｂとの何れかを流下するようになっている。
【００１９】
中央表示ユニット１２の前側には、例えば右側上部に、遊技球が通過可能な通過ゲート等よりなる普通図柄始動手段１９が配置されており、左右の流下経路３３ａ，３３ｂのうちの右流下経路３３ｂを流下する遊技球のみがこの普通図柄始動手段１９を通過可能となっている。普通図柄始動手段１９は、普通図柄表示手段１６による普通図柄の変動表示を開始させるためのもので、通過球を検出可能な通過検出スイッチ１９ａを備えている。
【００２０】
この普通図柄始動手段１９による遊技球の検出を契機として作動する普通図柄表示手段１６は、例えば「○」「×」の２種類の普通図柄に対応する２個の発光体（例えばＬＥＤ）により構成され、中央表示ユニット１２の前側等に配置されており、普通図柄始動手段１９が遊技球を検出することを条件にそれら２つの発光体が所定時間交互に点滅して、普通図柄始動手段１９による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２１】
また、普通図柄表示手段１６の変動表示中、又は後述する普通利益状態中に普通図柄始動手段１９が遊技球を検出した場合には、その検出時に取得された当たり判定乱数値等よりなる乱数情報が予め定められた上限保留個数、例えば４個を限度として記憶されると共に、例えば上限保留個数と同数の発光体よりなる普通保留個数表示手段１７がその発光個数により乱数情報の記憶個数（以下、普通保留個数）を表示して、その時点での普通保留個数を遊技者に報知するようになっている。
【００２２】
また、中央表示ユニット１２の下部側にはワープ演出手段３４が設けられている。このワープ演出手段３４は、遊技領域７側に向けて開口するワープ入口３５と、遊技球を内部領域１２ａから遊技領域７側に排出する球排出部３６と、ワープ入口３５に流入した遊技球を第２特別図柄始動手段２１側と球排出部３６側とに振り分けるステージ３７とを備えている。
【００２３】
ワープ入口３５は、例えば中央表示ユニット１２の少なくとも左右一側、例えば左側に設けられ、遊技盤４に沿って斜め上向きに開口している。ステージ３７は、例えば上ステージ３７ａと下ステージ３７ｂとで上下二段に構成され、例えば上ステージ３７ａ上に第２特別図柄始動手段２１の第２特別図柄始動口２１ａが開口しており、また下ステージ３７ｂ上に球排出部３６が設けられている。上ステージ３７ａは、ワープ入口３５に流入した遊技球を左右方向に自由に転動させて第２特別図柄始動口２１ａ側と下ステージ３７ｂ側とに振り分けるもので、第２特別図柄始動口２１ａに入賞しなかった遊技球は全て下ステージ３７ｂ上に落下するようになっている。下ステージ３７ｂは、上ステージ３７ａから落下してきた遊技球を自由に転動させて前縁側の球排出部３６から遊技領域７側に排出するようになっている。
【００２４】
第２特別図柄始動手段２１は、第２特別図柄表示手段１８ｂによる第２特別図柄の変動表示を開始させるためのもので、開閉手段を有しない非開閉式の第２特別図柄始動口２１ａと、この第２特別図柄始動口２１ａに入賞した遊技球を遊技盤４の裏側に案内する入賞案内通路２１ｂと、第２特別図柄始動口２１ａに入賞した遊技球を検出する入賞検出スイッチ２１ｃ等を備えている。
【００２５】
また、例えばステージ３７の近傍には、可動演出体３８が配置されており、ワープ入口３５への遊技球の流入、第２特別図柄始動口２１ａへの遊技球の入賞等に基づいて発光、揺動等の所定の演出動作を行うようになっている。
【００２６】
左入賞ユニット１３は、中央表示ユニット１２の下部左側にガイドレール１１の内周に沿って配置され、前面装飾板３９を遊技盤４の前面に沿わせた状態でねじ止め等により着脱自在に固定されており、その前面装飾板３９の前側に、例えば３つの普通入賞手段２５〜２７と流路形成手段４０とが設けられている。
【００２７】
前面装飾板３９は、前側を遊技球が通過可能な薄板状で、例えばその前面側には凹凸模様や装飾シートの貼付等による任意の装飾が施されている。普通入賞手段２５〜２７は、左流下経路３３ａに沿ってその上流側から下流側にかけて配列されており、それぞれ前面装飾板３９の前側に突設される入賞ケース２５ａ〜２７ａ、その入賞ケース２５ａ〜２７ａの上部側に上向き開口状に形成された非開閉式の普通入賞口２５ｂ〜２７ｂ等を備えている。
【００２８】
また、流路形成手段４０は、普通入賞手段２５〜２７よりも上流側に配置され、前面装飾板３９の前側に突設されており、その上部側に、ガイドレール１１の内周から遊技領域７の中央側に向けて形成された傾斜部４０ａが形成されている。左流下経路３３ａをガイドレール１１に沿って流下してきた遊技球は、この流路形成手段４０の傾斜部４０ａによって普通入賞手段２５〜２７の上側に誘導される。
【００２９】
右入賞ユニット１４は、中央表示ユニット１２の下部右側にガイドレール１１の内周に沿って配置されており、第１特別図柄始動手段２０、第２開閉式特別図柄始動手段２２、第１大入賞手段２３、第２大入賞手段２４、普通入賞手段２８等が搭載されている。この右入賞ユニット１４は、図３〜図６等に示すように、ユニット本体部４１と、このユニット本体部４１の前側に設けられた前面装飾板４２とを備え、ユニット本体部４１を遊技盤４上に形成された装着孔４ａ内に前側から挿入し、前面装飾板４２を遊技盤４の前面に沿わせた状態で、ねじ止め等により遊技盤４に着脱自在に固定されている。前面装飾板４２は、前側を遊技球が通過可能な薄板状に形成されており、例えばその前面側には凹凸模様や装飾シートの貼付等による任意の装飾が施されている。
【００３０】
第１特別図柄始動手段２０は、第１特別図柄表示手段１８ａによる第１特別図柄の変動表示を開始させるためのもので、例えば下ステージ３７ｂ上の球排出部３６の下側に対応するように右入賞ユニット１４の下端部近傍に配置されており、図３，図６等に示すように、前面装飾板４２の前側に突設された入賞ケース４３と、その入賞ケース４３の上部側に上向き開口状に形成された非開閉式の第１特別図柄始動口２０ａと、第１特別図柄始動口２０ａに入賞した遊技球を遊技盤４の裏側に案内する入賞案内通路４４と、第１特別図柄始動口２０ａに入賞した遊技球を検出する入賞検出スイッチ４５とを備えている。
【００３１】
このように、第１特別図柄始動手段２０には、左流下経路３３ａからワープ入口３５に流入し、ステージ３７によって第２特別図柄始動手段２１側に振り分けられなかった遊技球が球排出部３６を経て入賞する入賞ルートが存在すること、及び遊技釘７ａの配置等により、左流下経路３３ａを流下する遊技球の方が右流下経路３３ｂを流下する遊技球よりも第１特別図柄始動口２０ａに入賞する確率が高くなるように構成されている。
【００３２】
また、第１特別図柄始動手段２０の入賞ケース４３は、例えば第１特別図柄始動口２０ａの左右両側に設けられた一対の肩部４３ａと、その肩部４３ａの下側に裾狭まり状に設けられた左右一対の側壁部４３ｂと、それら側壁部４３ｂの下端部を左右に連結する底壁部４３ｃと、それら第１特別図柄始動口２０ａ，肩部４３ａ，側壁部４３ｂ及び底壁部４３ｃの前側を略覆う装飾板４３ｄとを備えており、第１特別図柄始動口２０ａの左右に落下した遊技球は肩部４３ａによって左右方向外向きに案内されるようになっている。
【００３３】
第２開閉式特別図柄始動手段２２は、中央表示ユニット１２上の第２特別図柄始動手段２１と同じく第２特別図柄表示手段１８ｂによる図柄変動を開始させるためのもので、例えば右入賞ユニット１４の上端部側、即ち第１特別図柄始動手段２０に対して右斜め上方に配置されている。
【００３４】
この第２開閉式特別図柄始動手段２２は、図３，図４等に示すように、前面装飾板４２に横長矩形状に形成された前向き開口状の第２開閉式特別図柄始動口２２ａと、電磁ソレノイド等よりなる開閉駆動手段４６の駆動により第２開閉式特別図柄始動口２２ａを遊技球が入賞不可能な閉状態と入賞容易な開状態とに切り替える開閉板４７と、第２開閉式特別図柄始動口２２ａに入賞した遊技球を遊技盤４の裏側に案内する入賞案内通路４８と、第２開閉式特別図柄始動口２２ａに入賞した遊技球を受けて入賞案内通路４８側に流下させる入賞室４９と、第２開閉式特別図柄始動口２２ａに入賞した遊技球を検出する入賞検出スイッチ５０とを備えており、普通図柄表示手段１６の変動後の停止図柄が当たり態様となったとき、開閉板４７が複数種類の開閉パターンの何れかに従って開状態に変化するようになっている（普通利益状態）。このように、第２開閉式特別図柄始動口２２ａは、遊技領域７内の右寄りの位置に配置されていることにより、右流下経路３３ｂを流下する遊技球が入賞する確率の方が左流下経路３３ａを流下する遊技球が入賞する確率に比べて格段に高くなっている。
【００３５】
開閉板４７は、例えば下端側の横軸回りに揺動可能な矩形板状に形成されており、閉状態（図４に実線で示す）ではその前面側が前面装飾板４２と略面一となって第２開閉式特別図柄始動口２２ａを閉鎖し、開状態（図４に二点鎖線で示す）では前面装飾板４２から前斜め上向きに突出してその上側に落下してきた遊技球を後側の第２開閉式特別図柄始動口２２ａ内に案内するようになっている。従って、第２開閉式特別図柄始動手段２２は、閉状態ではその第２開閉式特別図柄始動口２２ａの前側を遊技球が通過可能である。
【００３６】
また、第２開閉式特別図柄始動口２２ａの左右両側には、遊技球を左右両側、即ち第２開閉式特別図柄始動口２２ａから離れる方向に案内する左右の案内部５１，５２が設けられている。それら左右の案内部５１，５２は、前面装飾板４２の前側に突設され、その上面側が第２開閉式特別図柄始動口２２ａに対して左右方向外向きの傾斜面５１ａ，５２ａとなっている。なお、右側の案内部５２とガイドレール１１との間には、遊技球が通過可能な隙間が設けられている。
【００３７】
なお、第１特別図柄始動口２０ａへの遊技球の入賞を条件として作動する第１特別図柄表示手段１８ａ、第２開閉式特別図柄始動口２２ａ及び第２特別図柄始動口２１ａへの遊技球の入賞を条件として作動する第２特別図柄表示手段１８ｂは、例えば中央表示ユニット１２の前側等に配置され、それぞれ１個又は複数個、例えば各１個の第１，第２特別図柄を変動表示可能な７セグメント式等の表示手段により構成されており、第１特別図柄表示手段１８ａは第１特別図柄始動口２０ａに遊技球が入賞することを条件に、また第２特別図柄表示手段１８ｂは第２開閉式特別図柄始動口２２ａと第２特別図柄始動口２１ａとの何れかに遊技球が入賞することを条件に、夫々第１，第２特別図柄を所定時間変動表示して、それら始動口２０ａ，２２ａ，２１ａへの入賞時に取得された乱数情報に含まれる大当たり判定乱数値が予め定められた大当たり判定値と一致する場合には所定の大当たり態様で、それ以外の場合には外れ態様でそれぞれ停止するようになっている。
【００３８】
第１，第２特別図柄は、例えば数字図柄等ではなく、それ自体としては特別な意味を持たない線と点の組み合わせ等よりなる複数種類の図柄で構成され、それらの図柄のうちの１又は複数が大当たり態様、それ以外が外れ態様に設定されている。
【００３９】
また、第１，第２特別図柄の変動表示中、又は後述する特別利益状態中に第１特別図柄始動口２０ａへの入賞があった場合には、その入賞時に取得された大当たり判定乱数値等よりなる乱数情報が所定の上限保留個数、例えば４個を限度として記憶されると共に、第１特別保留個数表示手段３０ａが乱数情報の記憶個数（以下、第１特別保留個数）を表示して、その時点での第１特別保留個数を遊技者に報知するようになっている。また同じく第１，第２特別図柄の変動表示中、又は後述する特別利益状態中に第２開閉式特別図柄始動口２２ａ又は第２特別図柄始動口２１ａへの入賞があった場合には、その入賞時に取得された大当たり判定乱数値等よりなる乱数情報が所定の上限保留個数、例えば４個を限度として記憶されると共に、第２特別保留個数表示手段３０ｂが大当たり判定乱数値の記憶個数（以下、第２特別保留個数）を表示して、その時点での第２特別保留個数を遊技者に報知するようになっている。
【００４０】
なお本実施形態では、特別利益状態中には第１，第２特別図柄表示手段１８ａ，１８ｂの図柄変動を開始しない他、第１，第２特別図柄表示手段１８ａ，１８ｂの何れか一方の図柄変動中には他方の図柄変動を開始せず、両方が同時に変動中となることはないように制御される。更に、第１，第２特別保留個数が共に１以上である場合には、第１特別図柄表示手段１８ａの図柄変動よりも第２特別図柄表示手段１８ｂの図柄変動を優先して行うように構成されている。
【００４１】
また、それら第１，第２特別図柄表示手段１８ａ，１８ｂによる第１，第２特別図柄の変動中は、画像表示手段１５上の演出図柄表示手段２９によって演出図柄が変動表示されるようになっている。演出図柄表示手段２９は、１個又は複数個、例えば左右方向に３個の演出図柄を例えば各種の演出画像と共に変動表示可能に構成されており、第１，第２特別図柄の変動開始と同時に所定の変動パターンに従って演出図柄の変動を開始すると共に、第１，第２特別図柄の変動停止と同時に最終停止するよう、演出図柄を左、右、中等の所定の順序で停止させるようになっている。
【００４２】
なお、上述したように第１，第２特別図柄表示手段１８ａ，１８ｂは同時に変動することはないため、演出図柄表示手段２９の演出図柄は第１，第２特別図柄の何れか一方と同期して変動するが、演出図柄表示手段２９は第１，第２特別図柄の変動内容とは直接関係のない演出を行う場合があってもよい。
【００４３】
演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。また、演出図柄表示手段２９による演出図柄の変動後の停止図柄は、第１，第２特別図柄表示手段１８ａ，１８ｂによる第１，第２特別図柄が大当たり態様で停止する場合には大当たり態様となり、第１，第２特別図柄が外れ態様で停止する場合には任意の外れ態様となる。
【００４４】
第１，第２大入賞手段２３，２４は、第１，第２特別図柄表示手段１８ａ，１８ｂの変動後の第１，第２特別図柄が大当たり態様となることに基づいて発生する特別利益状態中に所定の開放パターンの何れかに従って開放するもので、図３，図５，図６等に示すように、例えば前面装飾板４２に横長矩形状に形成された前向き開口状の第１，第２大入賞口２３ａ，２４ａと、電磁ソレノイド等よりなる開閉駆動手段５３，５４の駆動により第１，第２大入賞口２３ａ，２４ａを遊技球が入賞不可能な閉状態と入賞容易な開状態とに切り替える開閉板５５，５６と、第１，第２大入賞口２３ａ，２４ａに入賞した遊技球を遊技盤４の裏側に案内する入賞案内通路５７，５８と、第１，第２大入賞口２３ａ，２４ａに入賞した遊技球を受けて入賞案内通路５７，５８側に流下させる入賞室５９，６０と、第１，第２大入賞口２３ａ，２４ａに入賞した遊技球を検出する入賞検出スイッチ６１，６２とを備えており、第１，第２特別図柄表示手段１８ａ，１８ｂの変動後の第１，第２特別図柄が大当たり態様となったとき、開閉板５５，５６が複数種類の開閉パターンの何れかに従って開状態に変化するようになっている（特別利益状態）。
【００４５】
開閉板５５，５６は、例えば下端側の横軸回りに揺動可能な矩形板状に形成されており、閉状態（図５，図６に実線で示す）ではその前面側が前面装飾板４２と略面一となって第１，第２大入賞口２３ａ，２４ａを閉鎖し、開状態（図５，図６に二点鎖線で示す）では前面装飾板４２から前斜め上向きに突出してその上側に落下してきた遊技球を後側の第１，第２大入賞口２３ａ，２４ａ内に案内するようになっている。従って、第１，第２大入賞手段２３，２４は、閉状態ではその第１，第２大入賞口２３ａ，２４ａの前側を遊技球が通過可能である。
【００４６】
第１大入賞手段２３の第１大入賞口２３ａは、例えばその上縁側が入賞ケース４３の底壁部４３ｃに沿うように、第１特別図柄始動口２０ａとその下側のアウト口６３との間に配置されている。第１大入賞口２３ａは、入賞ケース４３の底壁部４３ｃの左右両側にそれぞれ遊技球１個分以上張り出しており、入賞ケース４３の側壁部４３ｂに沿って流下した遊技球も入賞可能となっている。
【００４７】
第２大入賞手段２４の第２大入賞口２４ａは、例えば第１大入賞口２３ａと第２開閉式特別図柄始動口２２ａとの略中間、即ち第１大入賞口２３ａの右斜め上方で且つ第２開閉式特別図柄始動口２２ａの左斜め下方に配置されている。
【００４８】
第２大入賞口２４ａと第１大入賞口２３ａとは、例えば左右方向、上下方向共に一定の間隔を空けて配置されており、特に上下方向については遊技球１個分以上の間隔が設けられている。また第２大入賞口２４ａと第２開閉式特別図柄始動口２２ａとについても、左右方向、上下方向共に一定の間隔を空けて配置されており、上下方向については遊技球１個分以上の間隔が設けられている。なお、第２開閉式特別図柄始動口２２ａに隣接する案内部５１は、第２大入賞口２４ａ側の端部（左端部）が第２大入賞口２４ａの上側に張り出している。
【００４９】
また、第２大入賞口２４ａは、第１特別図柄始動手段２０の入賞ケース４３の右側に隣接しており、第２大入賞口２４ａと入賞ケース４３の肩部４３ａとの間には遊技球１個分以上の間隔が設けられている。
【００５０】
普通入賞手段２８は、例えば第２大入賞口２４ａの上側近傍に配置されており、図３，図５等に示すように、前面装飾板４２の前側に突設される入賞ケース６４と、その入賞ケース６４の上部側に上向き開口状に形成された非開閉式の普通入賞口２８ａと、普通入賞口２８ａに入賞した遊技球を遊技盤４の裏側に案内する入賞案内通路６５と、普通入賞口２８ａに入賞した遊技球を検出する入賞検出スイッチ６６とを備えている。
【００５１】
普通入賞手段２８の入賞ケース６４は、例えばその下側の第２大入賞口２４ａに対してその左右方向の中央よりも遊技領域７の内側、即ち左側に若干ずれた位置に配置されており、例えばそのずれ方向と反対側、即ち右側には、遊技球を遊技領域７の外側、即ち右側に向けて案内する案内部６７が例えば一体に設けられている。なお、第２大入賞口２４ａは、案内部６７の端部よりも更に外側、即ち右側に遊技球１個分以上張り出しており、案内部６７に沿って流下した遊技球も入賞可能となっている。
【００５２】
また、右入賞ユニット１４上には、上部流路形成手段６８と下部流路形成手段６９とが設けられている。上部流路形成手段６８は、第２開閉式特別図柄始動口２２ａの上流側にガイドレール１１の内周に沿って配置されており、図３，図４等に示すように、例えば前面装飾板４２の前側の所定領域を取り囲むように前面装飾板４２の前側に突設される周壁部７１と、この周壁部７１の前側を略覆う装飾板７２とを備えている。
【００５３】
上部流路形成手段６８の周壁部７１は、例えば合成樹脂により前面装飾板４２と一体に形成されており、その上部側の上傾斜部７１ａと、下部側の下傾斜部７１ｂと、上下の傾斜部７１ａ，７１ｂの一端側をガイドレール１１に沿って連結する外連結部７１ｃと、上下の傾斜部７１ａ，７１ｂの他端側を略上下方向に連結する内連結部７１ｄとで構成されている。
【００５４】
上傾斜部７１ａは、ガイドレール１１の内周側から遊技領域７の内側に向けて傾斜する傾斜面を構成しており、その下流側端部は第２開閉式特別図柄始動口２２ａの右端部の上方に配置されている。なお、本実施形態の上傾斜部７１ａには、その上流端側に段差部７３が設けられているが、全体として遊技球を一方向に案内できる形状であればよく、複数の段差部を設けてもよいし、このような段差部を設けなくてもよい。また、上傾斜部７１ａの傾斜角度は任意であるが、この上傾斜部７１ａは合成樹脂による滑らかな傾斜面であるため、遊技釘７ａの羅列によって遊技球の流路を形成する場合と比べて傾斜角度をより小さくできる。
【００５５】
下傾斜部７１ｂは、上傾斜部７１ａとは逆にガイドレール１１側に向けて傾斜しており、その下側の右案内部５２との間に、第１側部流下通路７４を形成している。なお、この第１側部流下通路７４は、その下流側がガイドレール１１に沿って下向きに屈折している。
【００５６】
下部流路形成手段６９は、例えば第１大入賞口２３ａと第２開閉式特別図柄始動口２２ａとの間にガイドレール１１の内周に沿って配置されており、図３〜図６等に示すように、例えば前面装飾板４２の前側の所定領域を取り囲むように前面装飾板４２の前側に突設される周壁部７５と、この周壁部７５の前側を略覆う装飾板７６とを備えている。
【００５７】
下部流路形成手段６９の周壁部７５は、例えば合成樹脂により前面装飾板４２と一体に形成されており、第２開閉式特別図柄始動口２２ａの下側に配置され且つ遊技領域７の内側、即ち左側に向けて傾斜する傾斜面を構成する第１傾斜部７５ａと、第２大入賞口２４ａの下側に配置され且つ遊技領域７の内側、即ち左側に向けて傾斜する傾斜面を構成する第２傾斜部７５ｂと、第１傾斜部７５ａの下流側端部と第２傾斜部７５ｂの上流側端部とを第２大入賞口２４ａの側方において略上下方向に連結する第１側壁部７５ｃと、第２傾斜部７５ｂの下流側端部から第１大入賞口２３ａの側方を経てガイドレール１１の内面側に達する第２側壁部７５ｄと、第１傾斜部７５ａの上流側端部と第２側壁部７５ｄの下流側端部とをガイドレール１１に沿って連結する外連結部７５ｅとを備えている。
【００５８】
第１傾斜部７５ａは、第２開閉式特別図柄始動口２２ａに入賞しなかった遊技球を第２大入賞口２４ａの入賞経路に誘導するもので、その上流側端部はガイドレール１１の内周側に達し、下流側端部は例えば第２大入賞口２４ａの右端部の上方に配置されている。第１傾斜部７５ａと、その上側の第２開閉式特別図柄始動口２２ａ及び左右の案内部５１，５２との間には、遊技球を第２開閉式特別図柄始動口２２ａの上側に案内する第１誘導通路７７が形成され、この第１誘導通路７７の上流側に第１側部流下通路７４が連通しており、第１側部流下通路７４を流下してきた遊技球は全て第１誘導通路７７上に案内されるようになっている。また、第２開閉式特別図柄始動口２２ａの閉鎖時にその前側を流下してきた遊技球についてもその略全てが第１傾斜部７５ａ上に落下するようになっている。
【００５９】
この第１傾斜部７５ａは、第２開閉式特別図柄始動口２２ａを第１入球口、第２大入賞口２４ａを第２入球口とした場合に、第１入球口に入球しなかった遊技球を第２入球口の入球経路に誘導する遊技球誘導手段の一例である。
【００６０】
なお、本実施形態の第１傾斜部７５ａには、その上流端側に段差部７８が設けられているが、全体として遊技球を一方向に案内できる形状であればよく、複数の段差部を設けてもよいし、このような段差部を設けなくてもよい。また、第１傾斜部７５ａの傾斜角度は任意であるが、この第１傾斜部７５ａは合成樹脂による滑らかな傾斜面であるため、遊技釘７ａの羅列によって遊技球の流路を形成する場合と比べて傾斜角度をより小さくできる。
【００６１】
第１側壁部７５ｃは、第２大入賞口２４ａの側方に遊技球１個分以上の間隔を空けて上下方向に配置される縦壁部７９と、この縦壁部７９の上端部と第１傾斜部７５ａの下流側端部とを例えば斜めに連結する傾斜壁部８０とで構成されており、この第１側壁部７５ｃと第２大入賞口２４ａとの間が第２側部流下通路８１となっている。
【００６２】
第２傾斜部７５ｂは、第２大入賞口２４ａに入賞しなかった遊技球を第１大入賞口２３ａの入賞経路に誘導するもので、その上流側端部は第１側壁部７５ｃの下端部に連結され、下流側端部は例えば第１大入賞口２３ａの右端部の上方に配置されている。第２傾斜部７５ｂと、その上側の第２大入賞口２４ａとの間には、遊技球を第１大入賞口２３ａの上側に案内する第２誘導通路８２が形成され、この第２誘導通路８２の上流側に第２側部流下通路８１が連通しており、第２側部流下通路８１を流下してきた遊技球は全て第２誘導通路８２上に案内されるようになっている。また、第２大入賞口２４ａの閉鎖時にその前側を流下してきた遊技球についてもその略全てが第２傾斜部７５ｂ上に落下するようになっている。
【００６３】
この第２傾斜部７５ｂは、第２大入賞口２４ａを第１入球口、第１大入賞口２３ａを第２入球口とした場合に、第１入球口に入球しなかった遊技球を第２入球口の入球経路に誘導する遊技球誘導手段の一例である。
【００６４】
なお、第２傾斜部７５ｂの傾斜角度は任意であるが、この第２傾斜部７５ｂは合成樹脂による滑らかな傾斜面であるため、遊技釘７ａの羅列によって遊技球の流路を形成する場合と比べて傾斜角度をより小さくできる。
【００６５】
第２側壁部７５ｄは、第１大入賞口２３ａの側方に遊技球１個分以上の間隔を空けて上下方向に配置される縦壁部８３と、この縦壁部８３の上端部と第２傾斜部７５ｂの下流側端部とを例えば斜めに連結する傾斜壁部８４とで構成されており、この第２側壁部７５ｄと第１大入賞口２３ａとの間が第３側部流下通路８５となっている。
【００６６】
以上のような構成により、第１，第２大入賞口２３ａ，２４ａについては、右流下経路３３ｂを流下する遊技球が入賞する確率の方が左流下経路３３ａを流下する遊技球が入賞する確率に比べて格段に高くなっている。
【００６７】
なお、各入賞口２１ａ，２２ａ，２３ａ，２４ａ，２５ｂ〜２７ｂ，２８ａに遊技球が入賞した場合には、入賞口毎に予め定められた個数の賞球が払い出されるなど、遊技者に所定の遊技価値が付与される。
【００６８】
図７は本パチンコ機の制御系のブロック図である。図７において、９１は主制御基板、９２は演出制御基板で、これら各制御基板９１，９２は、遊技盤４に装着された中央表示ユニット１２、その他の複数個の遊技部品を裏側から一括して覆う裏カバーの裏側等、内枠３及び遊技盤４を含む遊技機本体１の裏側の適宜箇所に着脱自在に装着された基板ケースに夫々収納されている。
【００６９】
主制御基板９１は、遊技動作を統括的に制御するもので、ＣＰＵ，ＲＯＭ，ＲＡＭ等により構成される普通乱数作成処理手段１０１、普通始動口チェック処理手段１０２、普通乱数記憶手段１０３、普通図柄処理手段１０４、普通利益状態発生手段１０５、普通図柄表示制御手段１０６、第１，第２特別乱数作成処理手段１１１ａ，１１１ｂ、第１，第２特別始動口チェック処理手段１１２ａ，１１２ｂ、第１，第２特別乱数記憶手段１１３ａ，１１３ｂ、第１，第２特別図柄処理手段１１４ａ，１１４ｂ、特別利益状態発生手段１１５、第１，第２特別図柄表示制御手段１１６ａ，１１６ｂ、特別遊技状態発生手段１１７、制御コマンド送信手段１１８等を備えている。
【００７０】
普通乱数作成処理手段１０１は、変動後の普通図柄を当たり態様とするか否かの判定に用いる当たり判定乱数等を所定時間毎に繰り返し発生するように構成されている。普通始動口チェック処理手段１０２は、普通図柄始動手段１９による遊技球の検出に基づく処理を行うもので、普通図柄始動手段１９を遊技球が通過し、通過検出スイッチ１９ａがその遊技球を検出することに基づいて、普通乱数作成処理手段１０１で作成された当たり判定乱数値等よりなる乱数情報を１個取得し、その乱数情報を予め定められた上限保留個数（例えば４個）を限度として先入れ先出し式の普通乱数記憶手段１０３に記憶させるように構成されている。
【００７１】
普通図柄処理手段１０４は、普通図柄の変動表示に関する処理を行うもので、普通図柄表示手段１６が変動表示可能な状態となり且つ普通乱数記憶手段１０３に１個以上の乱数情報が記憶されていること（普通保留個数が１以上であること）を条件に、普通乱数記憶手段１０３に記憶されている乱数情報の待ち行列からその先頭の当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００７２】
なお本実施形態では、図９に示すように、後述する時短遊技状態中（以下、高ベース時という）の当たり確率（例えば１／１．３）が、時短遊技状態中以外（以下、低ベース時という）の当たり確率（例えば１／１０）よりも高く設定され、また高ベース時の変動時間（例えば２．７秒）が低ベース時の変動時間（例えば２７秒）よりも短くなるように設定されている。
【００７３】
普通利益状態発生手段１０５は、普通図柄処理手段１０４による判定結果が当たり判定となり、普通図柄表示手段１６の変動後の停止図柄が当たり態様となったときに、第２開閉式特別図柄始動口２２ａの開閉板４７を複数種類の開閉パターンの何れかに従って開状態に変化させるようになっている。本実施形態では、図９に示すように、通常開閉パターン（例えば０．２秒×１回開放）と、この通常開閉パターンよりも開放時間及び／又は開放回数が大となるように設定された延長開閉パターン（例えば２秒×３回開放）の２種類の開閉パターンが設定されており、低ベース時には通常開閉パターンが、高ベース時には延長開閉パターンが選択されるようになっている。
【００７４】
普通図柄表示制御手段１０６は、普通図柄処理手段１０４による普通図柄処理に基づいて普通図柄表示手段１６の表示制御を行うもので、普通図柄表示手段１６が変動表示可能な状態となり且つ普通乱数記憶手段１０３に１個以上の当たり判定乱数値が記憶されていること（普通保留個数が１以上であること）を条件に普通図柄表示手段１６による普通図柄の変動を開始させ、普通図柄処理手段１０４で選択された変動時間が経過することに基づいて、同じく普通図柄処理手段１０４で選択された停止図柄で普通図柄の変動を停止させるようになっている。
【００７５】
第１，第２特別乱数作成処理手段１１１ａ，１１１ｂは、変動後の第１，第２特別図柄を大当たり態様とするか否かの判定に用いる大当たり判定乱数の他、変動後の特別図柄が大当たり態様となる場合の停止図柄の選択に用いる大当たり図柄乱数、特別図柄の変動パターンの選択に用いる変動パターン選択乱数、その他の所定の乱数を繰り返し発生する特別乱数作成処理を行うように構成されている。
【００７６】
第１，第２特別始動口チェック処理手段１１２ａ，１１２ｂは、第１特別図柄始動口２０ａ、第２特別図柄始動口２１ａ、第２開閉式特別図柄始動口２２ａへの遊技球の入賞に基づく処理を行うもので、第１特別始動口チェック処理手段１１２ａは、第１特別図柄始動口２０ａに遊技球が入賞し、入賞検出スイッチ４５がその遊技球を検出することに基づいて、第１特別乱数作成処理手段１１１ａで作成された大当たり判定乱数値、大当たり図柄乱数値等を１個ずつ取得し、それら大当たり判定乱数値、大当たり図柄乱数値等を予め定められた上限保留個数（例えば各４個）を限度として先入れ先出し式の第１特別乱数記憶手段１１３ａに記憶させ、また第２特別始動口チェック処理手段１１２ｂは、第２特別図柄始動口２１ａと第２開閉式特別図柄始動口２２ａとの何れかに遊技球が入賞し、それら始動口２１ａ，２２ａに対応する入賞検出スイッチ２１ｃ，５０がその遊技球を検出することに基づいて、第２特別乱数作成処理手段１１１ｂで作成された大当たり判定乱数値、大当たり図柄乱数値等よりなる乱数情報を１個取得し、その乱数情報を予め定められた上限保留個数（例えば各４個）を限度として先入れ先出し式の第２特別乱数記憶手段１１３ｂに記憶させるように構成されている。
【００７７】
第１，第２特別図柄処理手段１１４ａ，１１４ｂは、第１，第２特別図柄の変動表示に関する処理を行うもので、第１，第２特別図柄表示手段１８ａ，１８ｂが変動表示可能な状態となり且つ第１，第２特別乱数記憶手段１１３ａ，１１３ｂに１個以上の乱数情報が記憶されていること（第１，第２特別保留個数が１以上であること）を条件に、第１，第２特別乱数記憶手段１１３ａ，１１３ｂに記憶されている乱数情報の待ち行列からその先頭の大当たり判定乱数値を取り出し、その大当たり判定乱数値が予め定められた大当たり判定値と一致するか否かに応じて大当たり／外れの判定を行う大当たり判定機能、大当たり／外れの判定結果と、第１，第２特別乱数記憶手段１１３ａ，１１３ｂに記憶されている乱数情報に含まれる大当たり図柄乱数値とに基づいて、第１，第２特別図柄の変動後の停止図柄を選択する特別停止図柄選択機能、大当たり／外れの判定結果に基づいて、第１，第２特別図柄の変動パターンを複数種類の中から選択する第１，第２変動パターン選択機能等を備えている。
【００７８】
なお本実施形態では、図８に示すように、第１，第２特別図柄の大当たり態様として夫々１〜４の４種類が設けられており、第１，第２特別図柄の何れについても、大当たり態様１〜４の選択率が夫々３０，３０，３０，１０％に設定されているものとする。
【００７９】
また、例えば特別利益状態中には第１，第２特別図柄表示手段１８ａ，１８ｂの図柄変動を開始しない他、第１，第２特別図柄表示手段１８ａ，１８ｂの何れか一方の図柄変動中には他方の図柄変動を開始せず、両方が同時に変動中となることはないように制御され、且つ第１，第２特別保留個数が共に１以上である場合には、第１特別図柄表示手段１８ａの図柄変動よりも第２特別図柄表示手段１８ｂの図柄変動を優先するように制御される。
【００８０】
特別利益状態発生手段１１５は、特別利益状態を発生させるためのもので、第１，第２特別図柄処理手段１１４ａ，１１４ｂによる大当たり／外れの判定結果が大当たり判定となり、第１，第２特別図柄の変動後の停止図柄が大当たり態様となることに基づいて、第１，第２大入賞手段２３，２４の開閉板５５，５６を所定の開放パターンに従って開放する特別利益状態を発生させるように構成されている。特別利益状態における第１，第２大入賞手段２３，２４の開放パターンは例えば複数種類用意されており、大当たり態様の種類に応じてそれらのうちの１つが選択されるようになっている。
【００８１】
本実施形態では、図８に示すように、特別利益状態中における第１，第２大入賞手段２３，２４の開放パターンとして、第１，第２大入賞手段２３，２４を例えば交互に０．２秒間開放する動作を６ラウンド繰り返す第１開放パターンと、開放してから３０秒経過するかそれまでに所定個数（例えば９個）の遊技球が入賞することを条件に閉鎖する動作を例えば第１，第２大入賞手段２３，２４について交互に６ラウンド繰り返す第２開放パターンの２種類が設けられており、特別利益状態発生手段１１５は、第１特別図柄が大当たり態様となった場合にはその大当たり態様の種類に拘わらず第１開放パターンを、第２特別図柄が大当たり態様となった場合にはその大当たり態様の種類に拘わらず第２開放パターンを夫々選択するようになっている。
【００８２】
このように、本実施形態では、１回の特別利益状態で遊技者が得られる利益（例えば賞球払出個数の期待値）は、第１特別図柄が大当たり態様となった場合よりも第２特別図柄が大当たり態様となった場合の方が明らかに大きくなっている。なお、本実施形態の第１，第２開放パターンはあくまでも一例であり、例えば第１大入賞手段２３と第２大入賞手段２４との何れか一方のみを開放する開放パターン、第１，第２大入賞手段２３，２４を同時に開放する開放パターン等を用いてもよい。また、大当たり態様の種類、抽選結果等に応じて複数種類の開放パターンの何れかを選択するようにしてもよい。
【００８３】
第１，第２特別図柄表示制御手段１１６ａ，１１６ｂは、第１，第２特別図柄表示手段１８ａ，１８ｂの表示制御を行うもので、第１特別図柄処理手段１１４ａ又は第２特別図柄処理手段１１４ｂによる特別図柄処理に基づいて、第１特別図柄表示手段１８ａ又は第２特別図柄表示手段１８ｂによる第１，第２特別図柄の変動を開始させると共に所定の第１，第２変動パターンに対応する変動時間が経過することに基づいて所定の停止図柄で第１，第２特別図柄の変動を停止させるようになっている。
【００８４】
特別遊技状態発生手段１１７は、特別遊技状態の発生を制御するもので、確変遊技状態発生手段１１７ａと時短遊技状態発生手段１１７ｂとを備えている。確変遊技状態発生手段１１７ａは、特別遊技状態の一例としての確変遊技状態の発生を制御するもので、例えば大当たり態様の種類に応じて、確変遊技状態を所定期間発生させるようになっている。本実施形態では、確変遊技状態の継続期間を第１，第２特別図柄の変動回数によって規定するものとし、以下の説明では、例えば第１，第２特別図柄が２０回変動するまで継続される確変遊技状態を、単に２０回変動の確変遊技状態というものとする。なお、確変遊技状態の発生後、第１，第２特別図柄が所定回数（例えば２０回）変動するまでに次の特別利益状態が発生した場合にはその時点で確変遊技状態は終了する。
【００８５】
確変遊技状態中は、それ以外の低確率状態中よりも大当たり判定値の数が増加することにより、第１，第２特別図柄が大当たり態様となる確率が低確率（例えば１／５１）から高確率（例えば１／５０）に切り換えられるため、低確率状態中に比べて遊技者に有利となる。本実施形態では、図８に示すように、第１特別図柄と第２特別図柄の何れが大当たり態様となった場合でも、低ベース時と高ベース時とに拘わらず、また低確率時と高確率時（確変遊技状態中）とに拘わらず、特別利益状態の終了後に常に２０回変動の確変遊技状態が発生するようになっている。
【００８６】
時短遊技状態発生手段１１７ｂは、特別遊技状態の一例としての時短遊技状態の発生を制御するもので、例えば大当たり態様の種類に応じて、時短遊技状態を所定期間発生させ、又は発生させないようになっている。なお本実施形態では、確変遊技状態と同様、時短遊技状態の継続期間についても第１，第２特別図柄の変動回数によって規定するものとし、以下の説明では、例えば第１，第２特別図柄が２０回変動するまで継続される時短遊技状態を、単に２０回変動の確変遊技状態というものとする。なお、時短遊技状態の発生後、第１，第２特別図柄が所定回数（例えば２０回）変動するまでに次の特別利益状態が発生した場合にはその時点で時短遊技状態は終了する。
【００８７】
時短遊技状態中（即ち高ベース時）は、第１，第２特別図柄の変動時間が夫々通常変動時間よりも短い短縮変動時間に切り換えられる他、普通図柄に関して、図９に示すように当たり確率が低確率（例えば１／１０）から高確率（例えば１／１．３）へ、変動時間が通常変動時間（例えば２７秒）から短縮変動時間（例えば２．７秒）へ、第２開閉式特別図柄始動手段２２の開閉パターンが通常開閉パターン（例えば０．２秒×１回開放）から延長開閉パターン（例えば２秒×３回開放）へ、夫々切り換えられるようになっている。
【００８８】
このように、時短遊技状態中（高ベース時）は、第２開閉式特別図柄始動手段２２への遊技球の入賞が容易となり、また一定時間当たりの図柄変動回数が増加する等により、一定期間における賞球払出個数の期待値が増加するため、その継続期間が長いほど遊技者に有利となる。本実施形態では、図８に示すように時短遊技状態の継続期間が複数種類設けられている。
【００８９】
図８の例では、第２特別図柄が大当たり態様となった場合には、特別利益状態の種類に拘わらず特別利益状態の終了後に常に時短遊技状態が発生し、その継続期間は、低ベース時と高ベース時とに拘わらず、また低確率時と高確率時（確変遊技状態中）とに拘わらず、大当たり態様１〜３の場合には第１，第２特別図柄が８０回変動するまで、大当たり態様４の場合には第１，第２特別図柄が２０回変動するまでとなっている。ここで、第２特別図柄が大当たり態様となった場合における時短遊技状態の継続期間の期待値を計算すると図柄変動回数７４回となる。
【００９０】
これに対し、第１特別図柄が大当たり態様となった場合については、時短遊技状態の継続期間（時短遊技状態が発生しない場合を含む）の設定が低ベース時と高ベース時とで異なっており、また低ベース時については、低確率時と高確率時とでも異なっている。即ち、第１特別図柄が大当たり態様となった場合には、それが高ベース時であれば、低確率時と高確率時（確変遊技状態中）とに拘わらず、特別利益状態の終了後に常に時短遊技状態が発生し、その継続期間は、第２特別図柄が大当たり態様となった場合と同じく、大当たり態様１〜３の場合には第１，第２特別図柄が８０回変動するまで、大当たり態様４の場合には第１，第２特別図柄が２０回変動するまでとなっている。この場合の時短遊技状態の継続期間の期待値を計算すると図柄変動回数７４回となる。
【００９１】
一方、第１特別図柄が大当たり態様となった場合にそれが低ベース時であれば、高確率時（確変遊技状態中）の場合には、特別利益状態の終了後に常に時短遊技状態が発生し、その継続期間は、大当たり態様１〜３の場合には第１，第２特別図柄が２０回変動するまで、大当たり態様４の場合には第１，第２特別図柄が４０回変動するまでとなっているのに対し、低確率時の場合には、大当たり態様４の場合にのみ特別利益状態の終了後に時短遊技状態が発生し、その継続期間は第１，第２特別図柄が４０回変動するまでとなっている。ここで、第１特別図柄が大当たり態様となった場合の低ベース時における時短遊技状態の継続期間の期待値は、高確率時（確変遊技状態中）の場合は図柄変動回数２２回、低確率時の場合は図柄変動回数４回となる。
【００９２】
このように、時短遊技状態の発生確率及び／又は継続期間は、低ベース時に第１特別図柄が大当たり態様となった場合よりも高ベース時に第２特別図柄が大当たり態様となった場合の方が大きな値に設定されており、また低ベース時に第１特別図柄が大当たり態様となった場合の時短遊技状態の発生確率及び／又は継続期間は、低確率時よりも高確率時の方が大きな値に設定されている。
【００９３】
以上のとおり、本実施形態では、１回の特別利益状態で遊技者が得られる利益だけでなく、特別利益状態終了後に発生する時短遊技状態により遊技者が得られる利益についても、第１特別図柄が大当たり態様となった場合よりも第２特別図柄が大当たり態様となった場合の方が明らかに大きくなっている。
【００９４】
制御コマンド送信手段１１８は、所定の制御コマンドを一方向通信により演出制御基板９２等のサブ制御基板側に送信して制御指令を与えるためのもので、第１，第２特別図柄処理手段１１４ａ，１１４ｂによる特別図柄処理に基づいて、第１，第２特別図柄の変動開始時に、減算後の第１，第２特別保留個数を指定する第１，第２保留減算コマンド、演出図柄の変動パターンを指定する変動パターン指定コマンド、第１，第２特別図柄の変動後の停止図柄を指定する第１，第２停止図柄コマンドを例えばこの順序で演出制御基板９２側に送信し、第１，第２特別図柄の変動終了時に演出図柄の変動停止を指示する変動停止コマンドを演出制御基板９２側に送信する機能、第１特別図柄始動口２０ａ、第２特別図柄始動口２１ａ、第２開閉式特別図柄始動口２２ａへの遊技球入賞時に増加後の第１，第２特別保留個数等を指定する第１，第２保留増加コマンドを演出制御基板９２側に送信する機能、第２特別図柄始動口２１ａに遊技球が入賞し、入賞検出スイッチ２１ｃがその遊技球を検出することに基づいて始動入賞演出コマンドを演出制御基板９２側に送信する機能等を備えている。
【００９５】
演出制御基板９２は、画像表示手段１５上の演出図柄表示手段２９、第１特別保留個数表示手段３０ａ及び第２特別保留個数表示手段３０ｂ、可動演出体３８、音声出力手段１２１、電飾手段１２２等の各種演出手段を制御するもので、図柄変動演出制御手段１２３、特別保留個数表示制御手段１２４、振り分け演出制御手段１２５等を備えている。
【００９６】
図柄変動演出制御手段１２３は、演出図柄表示手段２９の変動表示制御及びそれに伴う音声出力手段１２１、電飾手段１２２等の制御を行うもので、主制御基板９１から変動パターン指定コマンドを受信し、その後所定時間内に第１，第２停止図柄コマンドを受信することを条件に、演出図柄表示手段２９の変動後の停止図柄を抽選により決定すると共に変動パターン指定コマンドで指定された変動パターンに基づいて画像表示手段１５上で所定の演出画像と共に演出図柄の変動を開始させ、変動停止指定コマンドを受信したときに、抽選により決定された停止図柄で演出図柄の変動を停止させ、またその演出図柄の変動表示に合わせて音声出力手段１２１から所定の効果音を出力し、電飾手段１２２を所定のパターンで発光させるようになっている。
【００９７】
特別保留個数表示制御手段１２４は、第１，第２特別保留個数表示手段３０ａ，３０ｂの表示制御を行うもので、主制御基板９１から第１，第２保留増加コマンドを受信したときに、その第１，第２保留増加コマンドに基づいて、画像表示手段１５上の第１，第２特別保留個数表示手段３０ａ，３０ｂに表示されている第１，第２特別保留個数報知画像の個数が増加後の第１，第２特別保留個数と一致するように、既に表示されている第１，第２特別保留個数報知画像の待ち行列の後ろ側に第１，第２特別保留個数報知画像を１個追加表示し、また主制御基板９１から第１，第２保留減算コマンドを受信することに基づいて、画像表示手段１５上の第１，第２特別保留個数表示手段３０ａ，３０ｂに表示されている第１，第２特別保留個数報知画像の個数が減少後の第１，第２特別保留個数と一致するように、待ち行列の先頭の第１，第２特別保留個数報知画像を消去すると共にその他の保留個数報知画像を待ち行列の先頭側にシフトするように構成されている。
【００９８】
振り分け演出制御手段１２５は、ステージ３７による遊技球の振り分けに関する演出を制御するもので、主制御基板９１から始動入賞演出コマンドを受信したとき、即ちワープ入口３５に流入した遊技球が上ステージ３７ａ上で第２特別図柄始動口２１ａ側に振り分けられ、入賞検出スイッチ２１ｃがその遊技球を検出したときに、例えば可動演出体３８を所定パターンで揺動させつつ所定の発光パターンで発光させるように構成されている。
【００９９】
以上のように構成された本実施形態のパチンコ機では、図８に示すように、１回の特別利益状態で遊技者が得られる利益が、第１特別図柄が大当たり態様となった場合よりも第２特別図柄が大当たり態様となった場合の方が格段に大きく、また特別利益状態の終了後に発生する時短遊技状態によって遊技者が得られる利益についても、第１特別図柄が大当たり態様となった場合よりも第２特別図柄が大当たり態様となった場合の方が全体として大きくなっている。
【０１００】
しかしながら、低ベース時（時短遊技状態中以外）は、普通図柄表示手段１６で当たり態様となる確率は低く、しかも普通図柄が当たり態様となって普通利益状態が発生しても第２開閉式特別図柄始動口２２ａの開放時間は僅かであるため（図９）、第２開閉式特別図柄始動口２２ａに関しては入賞の可能性は極めて低い。一方、第１特別図柄始動口２０ａ及び第２特別図柄始動口２１ａは、共に非開閉式の入賞手段であり、遊技状態によって入賞の困難性が変化することはない。
【０１０１】
従って、本実施形態のパチンコ機では、低ベース時には、右流下経路３３ｂ側の普通図柄始動手段１９及び第２開閉式特別図柄始動口２２ａを狙って右打ちをするよりも、左打ちをして左流下経路３３ａ側から第１特別図柄始動口２０ａ又は第２特別図柄始動口２１ａへの入賞を狙う方が遊技者にとって有利である。左打ちをした場合、その遊技球が中央表示ユニット１２のワープ入口３５に流入すれば、ステージ３７による振り分けによって第２特別図柄始動口２１ａに入賞する可能性があり、また第２特別図柄始動口２１ａに入賞しなかった場合でも、下ステージ３７ｂの球排出部３６を経て第１特別図柄始動口２０ａに入賞する可能性がある。また、遊技球がワープ入口３５に流入しなかった場合でも、第１特別図柄始動口２０ａについては、左流下経路３３ａを流下した遊技球が直接入賞する可能性がある。
【０１０２】
遊技者が低ベース時に左打ちをした場合、その遊技球が第１特別図柄始動口２０ａに入賞すると第１特別図柄表示手段１８ａが変動し、第２特別図柄始動口２１ａに入賞すると第２特別図柄表示手段１８ｂが変動するが、第１，第２特別保留個数が共に１以上である場合には、第１特別図柄表示手段１８ａの図柄変動よりも第２特別図柄表示手段１８ｂの図柄変動が優先して行われる。
【０１０３】
このように、本実施形態のパチンコ機では、低ベース時であっても、第１特別図柄表示手段１８ａの変動開始に係る第１特別図柄始動口２０ａだけでなく、遊技者にとってより有利な第２特別図柄表示手段１８ｂの変動開始に係る第２特別図柄始動口２１ａへの入賞も期待できるため、いわゆる右打ちと左打ちとのどちらが遊技者にとって有利であるかが遊技状態によって明確に異なるにも拘わらず、変化に富んだ遊技展開が期待できる。
【０１０４】
低ベース且つ低確率の状態で第１特別図柄始動口２０ａに遊技球が入賞して第１特別図柄表示手段１８ａが変動し、その変動後の停止図柄が大当たり態様となった場合には、第１，第２大入賞口２３ａ，２４ａが開放する特別利益状態が発生するため、遊技者は右流下経路３３ｂ側から第１，第２大入賞口２３ａ，２４ａを狙って右打ちに切り換えればよい。但し、この場合の第１，第２大入賞口２３ａ，２４ａの開放パターンは、０．２秒間の開放を６ラウンド繰り返す第１開放パターンであるため（図８）、第１，第２大入賞口２３ａ，２４ａへの入賞はほとんど期待できない。
【０１０５】
その特別利益状態の終了後に時短遊技状態が発生すれば、普通図柄表示手段１６で当たり態様となる確率が高くなり、しかも普通図柄が当たり態様となって普通利益状態が発生した場合の第２開閉式特別図柄始動口２２ａの開放時間が長くなるため（図９）、その時短遊技状態中はそのまま右打ちを継続して右流下経路３３ｂ上の普通図柄始動手段１９及び第２開閉式特別図柄始動口２２ａを狙うことにより、低ベース時に比べてより有利に遊技を行うことができる。しかしながら本実施形態の場合、低ベース且つ低確率の状態で時短遊技状態が発生する確率は１０％（大当たり態様４の選択率）に過ぎない（図８）。
【０１０６】
一方、低ベース且つ低確率の場合に第１特別図柄で大当たり態様となった場合でも、２０回変動の確変遊技状態については必ず発生する。即ち、低ベース且つ低確率の場合に第１特別図柄で大当たり態様となった場合には、９０％の確率（大当たり態様１〜３の選択率）で、特別利益状態の終了後の図柄変動２０回の間は低ベース且つ高確率の状態となる。
【０１０７】
この低ベース且つ高確率の状態になると、遊技者は再び左打ちをして左流下経路３３ａ側から第１特別図柄始動口２０ａ又は第２特別図柄始動口２１ａへの入賞を狙うことになるが、低ベース且つ低確率の場合に比べて大当たり態様となる確率が高く、またこの低ベース且つ高確率の状態で例えば第１特別図柄が大当たり態様となった場合には２０回変動以上の時短遊技状態が必ず発生するため、低ベース且つ低確率の場合に比べて遊技者に有利な状態で遊技を行うことができる。
【０１０８】
時短遊技状態が発生すると、その期間中（高ベース時）は、第１，第２特別図柄で大当たり態様となった場合に必ず時短遊技状態が発生し、しかもその継続期間が低ベース時（期待値は２２回）に比べて長い（期待値は７４回）ため、遊技者がその有利な状態を維持することが比較的容易となる。
【０１０９】
このように、低ベース且つ低確率の状態から、第１特別図柄側での大当たりを繰り返すことにより低ベース且つ高確率の状態を経て遊技者に有利な高ベースでの遊技に移行するというのが最も一般的な遊技の流れである。しかしながら本実施形態の場合には、低ベース時に左打ちをしている場合でも、中央表示ユニット１２内の第２特別図柄始動口２１ａへの入賞によって第２特別図柄が変動する可能性がある。第２特別図柄の場合、大当たり態様となった場合の確変遊技状態、時短遊技状態の発生確率及び継続期間は低ベース時であっても高ベース時と同じであるため、大当たり態様となった場合にはいきなり遊技者にとって最も有利な状態で遊技を行うことができる。
【０１１０】
また、遊技者が右打ちをし、遊技球が右流下経路３３ｂ側に流入すると、その遊技球は普通図柄始動手段１９を通過し、又は通過することなく中央表示ユニット１２の右側を流下し、例えば図１０（ａ）に示すように、上部流路形成手段６８の上傾斜部７１ａによって第２開閉式特別図柄始動口２２ａの上側に案内される。そしてその遊技球は、第２開閉式特別図柄始動口２２ａの上側に配置された多数の遊技釘７ａによって第２開閉式特別図柄始動口２２ａ上、又はその左右の何れかに導かれる。
【０１１１】
第２開閉式特別図柄始動口２２ａの左側に導かれた遊技球は、第２開閉式特別図柄始動口２２ａへの入賞経路からは外れるが、普通入賞口２８ａ及び第２大入賞口２４ａの上側に案内される。また、第２開閉式特別図柄始動口２２ａ上に導かれた遊技球は、その時点でちょうど第２開閉式特別図柄始動口２２ａが開放中であれば第２開閉式特別図柄始動口２２ａに入賞する。
【０１１２】
一方、第２開閉式特別図柄始動口２２ａ上に導かれても、その時点で第２開閉式特別図柄始動口２２ａが閉鎖中であれば、その遊技球は第２開閉式特別図柄始動口２２ａに入賞することなくその前を通過して第１傾斜部７５ａ上に落下し、この第１傾斜部７５ａによって第２大入賞口２４ａの上側、即ち第２大入賞口２４ａへの入賞経路に案内される。また、第２開閉式特別図柄始動口２２ａの右側に導かれた遊技球は、第１側部流下通路７４を経て同じく第１傾斜部７５ａ上に流下し、この第１傾斜部７５ａによって第２大入賞口２４ａの上側、即ち第２大入賞口２４ａへの入賞経路に案内される。
【０１１３】
このように、本実施形態では、第２開閉式特別図柄始動口２２ａの上方での遊技釘７ａ等による振り分け方向に拘わらず、第２開閉式特別図柄始動口２２ａへの入賞を逃した全ての遊技球に対して、その下流側の第２大入賞口２４ａへの入賞機会が与えられるようになっている。
【０１１４】
また、例えば図１０（ｂ）に示すように、普通入賞口２８ａ及び第２大入賞口２４ａの上側に導かれた遊技球は、普通入賞口２８ａに入賞するか、普通入賞口２８ａの両脇をかすめて第２大入賞口２４ａ上に流下するか、又は第２大入賞口２４ａの左右何れかを流下する。また、第１傾斜部７５ａに沿って流下してきた遊技球は、例えば第２大入賞口２４ａ上に案内されるか、又は第２大入賞口２４ａの右側を流下する。
【０１１５】
第２大入賞口２４ａの左側に導かれた遊技球は、第２大入賞口２４ａへの入賞経路からは外れるが、第１特別図柄始動口２０ａ及び第１大入賞口２３ａの上側に案内される。また、第２大入賞口２４ａ上に導かれた遊技球は、その時点でちょうど第２大入賞口２４ａが開放中であれば第２大入賞口２４ａに入賞する。
【０１１６】
一方、第２大入賞口２４ａ上に導かれても、その時点で第２大入賞口２４ａが閉鎖中であれば、その遊技球は第２大入賞口２４ａに入賞することなくその前を通過して第２傾斜部７５ｂ上に落下し、この第２傾斜部７５ｂによって第１大入賞口２３ａの上側、即ち第１大入賞口２３ａへの入賞経路に案内される。また、第２大入賞口２４ａの右側に導かれた遊技球は、第２側部流下通路８１を経て同じく第２傾斜部７５ｂ上に流下し、この第２傾斜部７５ｂによって第１大入賞口２３ａの上側、即ち第１大入賞口２３ａへの入賞経路に案内される。
【０１１７】
このように、本実施形態では、第２大入賞口２４ａの上方での遊技釘７ａ等による振り分け方向に拘わらず、第２大入賞口２４ａへの入賞を逃した全ての遊技球に対して、その下流側の第１大入賞口２３ａへの入賞機会が与えられるようになっている。
【０１１８】
また、例えば図１０（ｃ）に示すように、第１特別図柄始動口２０ａ及び第１大入賞口２３ａの上側に導かれた遊技球は、第１特別図柄始動口２０ａに入賞するか、第１特別図柄始動口２０ａの両脇をかすめて第１大入賞口２３ａ上に流下するか、又は第１大入賞口２３ａの左右何れかを流下してアウト口６３に案内される。また、第２傾斜部７５ｂに沿って流下してきた遊技球は、例えば第１大入賞口２３ａ上に案内されるか、又は第１大入賞口２３ａの右側を流下してアウト口６３に案内される。
【０１１９】
第１大入賞口２３ａ上に導かれた遊技球は、その時点でちょうど第１大入賞口２３ａが開放中であれば第１大入賞口２３ａに入賞するが、第１大入賞口２３ａが閉鎖中であれば第１大入賞口２３ａに入賞することなくその前を通過し、アウト口６３に案内される。
【０１２０】
以上説明したように、本実施形態のパチンコ機では、遊技領域７内における第２開閉式特別図柄始動口（第１入球口）２２ａの下流側に、第２開閉式特別図柄始動口（第１入球口）２２ａに入賞（入球）しなかった遊技球を第２大入賞口（第２入球口）２４ａの入賞経路（入球経路）に誘導する第１傾斜部（遊技球誘導手段）７５ａが配置されており、更に第２大入賞口（第１入球口）２４ａの下流側に、第２大入賞口（第１入球口）２４ａに入賞（入球）しなかった遊技球を第１大入賞口（第２入球口）２３ａの入賞経路（入球経路）に誘導する第２傾斜部（遊技球誘導手段）７５ｂが配置されており、第２開閉式特別図柄始動口（第１入球口）２２ａ、第２大入賞口（第１入球口）２４ａは、遊技球が入球可能な開状態と入球不可能な閉状態とに切り替え可能であって閉状態ではその前側を遊技球が通過可能となるように構成されており、第１，第２傾斜部（遊技球誘導手段）７５ａ，７５ｂは、第２開閉式特別図柄始動口（第１入球口）２２ａ、第２大入賞口（第１入球口）２４ａが閉状態のときにその前側を流下した遊技球を第２大入賞口（第２入球口）２４ａ、第１大入賞口（第２入球口）２３ａの入賞経路（入球経路）に誘導するように構成されているため、第２開閉式特別図柄始動口２２ａの上方での遊技釘７ａ等による振り分け方向に拘わらず、第２開閉式特別図柄始動口２２ａへの入賞を逃した遊技球に対して、その下流側の第２大入賞口２４ａへの入賞機会が与えられ、また第２大入賞口２４ａの上方での遊技釘７ａ等による振り分け方向に拘わらず、第２大入賞口２４ａへの入賞を逃した遊技球に対して、その下流側の第１大入賞口２３ａへの入賞機会が与えられる。従って、下流側の入賞口２４ａ，２３ａへの入賞率がその上流側の入賞口２２ａ，２４ａの入賞率に依存せず、各入賞口２２ａ，２３ａ，２４ａの入賞率をそれぞれ独立に調整することが可能である。
【０１２１】
また、第２大入賞口（第２入球口）２４ａは、第２開閉式特別図柄始動口（第１入球口）２２ａに対して左側（左右方向の所定側）にずれた位置に配置されており、第２開閉式特別図柄始動口（第１入球口）２２ａに対して右側（左右方向の非所定側）を流下した全ての遊技球が第１傾斜部（遊技球誘導手段）７５ａ上に案内されるように構成されており、第１大入賞口（第２入球口）２３ａは、第２大入賞口（第１入球口）２４ａに対して左側（左右方向の所定側）にずれた位置に配置されており、第２大入賞口（第１入球口）２４ａに対して右側（左右方向の非所定側）を流下した全ての遊技球が第２傾斜部（遊技球誘導手段）７５ｂ上に案内されるように構成されており、更に第１，第２傾斜部（遊技球誘導手段）７５ａ，７５ｂは、第２開閉式特別図柄始動口（第１入球口）２２ａ、第２大入賞口（第１入球口）２４ａの下側に配置され且つその左側（左右方向の所定側）の端部が第２大入賞口（第２入球口）２４ａ、第１大入賞口（第２入球口）２３ａの上部又はその近傍に達するように配置されているため、第２開閉式特別図柄始動口（第１入球口）２２ａ、第２大入賞口（第１入球口）２４ａに入賞（入球）しなかった遊技球を第２大入賞口（第２入球口）２４ａ、第１大入賞口（第２入球口）２３ａの入賞経路（入球経路）に確実に誘導することができる。
【０１２２】
また、第１，第２傾斜部（遊技球誘導手段）７５ａ，７５ｂは、樹脂製の傾斜面で構成されているため、遊技釘７ａの羅列によって遊技球の流路を形成する場合と比べて傾斜角度をより小さくできる。
【０１２３】
以上、本発明の実施形態について詳述したが、本発明はこれらの実施形態に限定されるものではなく、本発明の趣旨を逸脱しない範囲で種々の変更が可能である。例えば、第１入球口と第２入球口との少なくとも一方に、実施形態と異なる形式の開閉手段を設けてもよい。また、第１入球口と第２入球口との少なくとも一方が非開閉式の入球口であってもよい。また、上流側の第１入球口と下流側の第２入球口との左右方向の位置関係については、例えばそれらの少なくとも一部が互いに重なっていてもよい。
【０１２４】
遊技球誘導手段は、例えばその少なくとも一部が金属製の傾斜面で構成されていてもよい。第１入球口と第２入球口とは異なるユニット部品上に配置されていてもよい。また第１入球口と第２入球口とを左流下経路３３ａ側に設けてもよい。
【０１２５】
第１特別図柄が大当たり態様となることに基づいて遊技者が得られる利益よりも第２特別図柄が大当たり態様となることに基づいて遊技者が得られる利益を大きくするための設定内容は任意であり、例えば大当たり状態中に遊技者が得られる利益が同じでも、その後に発生する確変遊技状態、時短遊技状態によって遊技者が得られる利益を大きくすれば、第１特別図柄が大当たり態様となることに基づいて遊技者が得られる利益よりも第２特別図柄が大当たり態様となることに基づいて遊技者が得られる利益を大きくすることが可能である。
【０１２６】
実施形態では、ステージ３７上に第２特別図柄始動口２１ａを設けた例を示したが、これを省略し、第２特別図柄表示手段１８ｂは第２開閉式特別図柄始動口２２ａへの入賞のみに基づいて変動するようにしてもよい。
【０１２７】
また本発明は、パチンコ機に限らず、アレンジボール機、雀球遊技機等の各種の弾球遊技機においても同様に実施することが可能である。
【符号の説明】
【０１２８】
４    遊技盤
７    遊技領域
１４    右入賞ユニット（ユニット部品）
２２ａ  第２開閉式特別図柄始動口（第１入球口）
２３ａ  第１大入賞口（第２入球口）
２４ａ  第２大入賞口（第１入球口，第２入球口）
７５ａ  第１傾斜部（遊技球誘導手段）
７５ｂ  第２傾斜部（遊技球誘導手段）
【図１】
0005497827.tif 000002
【図２】
0005497827.tif 000003
【図３】
0005497827.tif 000004
【図４】
0005497827.tif 000005
【図５】
0005497827.tif 000006
【図６】
0005497827.tif 000007
【図７】
0005497827.tif 000008
【図８】
0005497827.tif 000009
【図９】
0005497827.tif 000010
【図１０】
0005497827.tif 000011